(57)【特許請求の範囲】
【請求項１】
外部入力される外部同期基準信号に基づいて生成される同期クロックに従って地上デジタル放送の仕様に準拠したＯＦＤＭ信号の生成及びＩＦ周波数の信号に変換して処理し出力する複数のＯＦＤＭ信号発生部と、前記複数のＯＦＤＭ信号発生部から出力されるＩＦ周波数の信号を前記外部同期基準信号に基づいて生成される同期クロックにより設定チャンネルの周波数に変換して出力する複数のＲＦコンバータと、前記複数のＲＦコンバータから出力される多チャンネルのＯＦＤＭ信号を混合して１つの出力端子より出力するＲＦ混合器とからなる多チャンネルデジタル放送疑似信号発生装置。
【請求項２】
前記複数のＯＦＤＭ信号発生部及び前記複数のＲＦコンバータは、その同期クロックとして、前記外部同期基準信号により生成したものと、前記複数のＯＦＤＭ信号発生部及び前記複数のＲＦコンバータの各チャンネル毎に設けられるクロック生成部の発振素子により生成されたものを、任意に切換えて同期クロックとする請求項１に記載の多チャンネルデジタル放送疑似信号発生装置。
【請求項３】
地上デジタル放送の仕様に準拠したＯＦＤＭ信号を発生し、このＯＦＤＭ信号をそれぞれ同期クロックに従ってＩＦ周波数の信号に変換して出力する複数のＯＦＤＭ信号発生部と、前記複数のＯＦＤＭ信号発生部から出力されるＩＦ周波数の信号を分配するＩＦ分配器と、前記複数のＯＦＤＭ信号発生部に対応して設けられ、前記ＩＦ分配器により分配されたＩＦ周波数の信号を同期クロックにより設定チャンネルの周波数に変換して出力する複数のＲＦコンバータと、前記ＲＦコンバータから出力される多チャンネルのＯＦＤＭ信号を混合して１つの出力端子より出力するＲＦ混合器とを具備し、
前記複数のＯＦＤＭ信号発生部は、その同期クロックとして、外部同期基準信号により生成したものと、各チャンネル毎に設けられるクロック生成部の発振素子により生成されたものを任意に切換えて同期クロックとし、
前記ＩＦ分配器は、前記各ＯＦＤＭ信号発生部から入力されるＩＦ周波数の信号をそのまま対応するＲＦコンバータに出力する第１のモードと、入力端子に接続されている任意の１つのＯＦＤＭ信号発生部の出力信号を選択して全てのＲＦコンバータに分配する第２のモードとを備え、前記第１のモードと第２のモードがモード切換手段により切換えられることを特徴とする多チャンネルデジタル放送疑似信号発生装置。
【請求項４】
前記複数のＲＦコンバータは、その同期クロックとして、外部同期基準信号により生成したものと、各チャンネル毎に設けられるクロック生成部の発振素子により生成されたものを任意に切換えて同期クロックとする請求項３に記載の多チャンネルデジタル放送疑似信号発生装置。
【発明の詳細な説明】
【０００１】
【発明の属する技術分野】
本発明は、地上デジタル放送波の伝送性能を確認するためにデジタル放送疑似信号を発生する多チャンネルデジタル放送疑似信号発生装置に関する。
【０００２】
【従来の技術】
地上デジタル（テレビジョン）放送（ＩＳＤＢ−Ｔ：Terrestrial Integrated Services Digital Broadcasting）は、２００３年から関東、近畿及び中京広域圏で、また、２００６年までにその他の地域で本放送開始が予定されている。
【０００３】
このため共聴用機器、ＣＡＴＶ伝送機器、ＴＶ受信機等では、既に地上デジタル放送波の伝送に対応した機器の検討や開発が進められている。例えば伝送路は複数の地上デジタル放送信号を伝送しなければならず、また、受信機は複数の地上デジタル放送信号を受信して目的の１波を正常に受信しなければならない。このため最終的には実際に複数の地上デジタル放送波を受信伝送した地上デジタル放送波伝送性能の確認が必要であり、地上デジタル放送開始後の電波発射状況をシミュレートした信号が必要になる。
【０００４】
地上デジタル放送開始後の電波発射状況をシミュレートした複数の地上デジタル放送波を生成するには、現在、以下の３つの方法が考えられる。
（１）  地上デジタル放送変調器を複数台用意する。
【０００５】
（２）  図７に示すように１台の地上デジタル放送変調器（ＯＦＤＭ（Orthogonal Frequency Division Multiplex：直交周波数分割多重）変調器）３１の出力を、複数のＲＦコンバータ（周波数コンバータ）３２によりそれぞれ設定チャンネルの周波数に変換して出力する。
【０００６】
（３）  東京パイロット実験協議会が発射している地上デジタル試験放送を受信し、複数の周波数コンバータで複数の周波数に変換して出力する。
【０００７】
【発明が解決しようとする課題】
上記３つの方法によって地上デジタル放送波伝送性能の確認試験を行なうことができるが、次のような問題がある。
上記（１）の方法は最も理想的であるが、実際の放送用変調器を複数台使用するので非常に高価になる。
（２）の方法は、１台の地上デジタル放送変調器３１の出力を複数のＲＦコンバータ３２で周波数変換するので、その出力信号は複数の同期した同一スペクトルの信号、すなわち、シンボルのタイミングや変調まで全く同じ信号となり、地上デジタル放送開始後の実際の電波発射状況と異なってしまい、実際の状況に即した試験ができない。
（３）の方法は、空中に発射された電波を受信するので、場所によって安定度やＣ／Ｎ比（Carrier to Noise ratio）が異なる等の問題がある。
【０００８】
本発明は上記の課題を解決するためになされたもので、安価に構成でき、かつ、実際の状況に即した多チャンネルのデジタル放送疑似信号を発生することができる多チャンネルデジタル放送疑似信号発生装置を提供することを目的とする。
【０００９】
【課題を解決するための手段】
第１の発明に係る多チャンネルデジタル放送疑似信号発生装置は、外部入力される外部同期基準信号に基づいて生成される同期クロックに従って地上デジタル放送の仕様に準拠したＯＦＤＭ信号の生成及びＩＦ周波数の信号に変換して処理し出力する複数のＯＦＤＭ信号発生部と、前記複数のＯＦＤＭ信号発生部から出力されるＩＦ周波数の信号を前記外部同期基準信号に基づいて生成される同期クロックにより設定チャンネルの周波数に変換して出力する複数のＲＦコンバータと、前記複数のＲＦコンバータから出力される多チャンネルのＯＦＤＭ信号を混合して１つの出力端子より出力するＲＦ混合器とからなることを特徴とする。
【００１０】
上記のように、複数のＯＦＤＭ信号発生部で地上デジタル放送の仕様に準拠したＯＦＤＭ信号を発生してＩＦ周波数の信号に変換し、更に、このＩＦ周波数の信号をそれぞれＲＦコンバータで設定チャンネルの周波数に変換した後、ＲＦ混合器で混合して１つの出力端子より出力することにより、各チャンネル別に異なる波形のデジタル放送疑似信号を発生でき、実際の状況に即した多チャンネルのデジタル放送疑似信号を発生することができる。また、構成が簡単であり、安価に製作することができる。
【００１１】
第２の発明に係る多チャンネルデジタル放送疑似信号発生装置は、地上デジタル放送の仕様に準拠したＯＦＤＭ信号を発生し、このＯＦＤＭ信号をそれぞれ同期クロックに従ってＩＦ周波数の信号に変換して出力する複数のＯＦＤＭ信号発生部と、前記複数のＯＦＤＭ信号発生部から出力されるＩＦ周波数の信号を分配するＩＦ分配器と、前記複数のＯＦＤＭ信号発生部に対応して設けられ、前記ＩＦ分配器により分配されたＩＦ周波数の信号を同期クロックにより設定チャンネルの周波数に変換して出力する複数のＲＦコンバータと、前記ＲＦコンバータから出力される多チャンネルのＯＦＤＭ信号を混合して１つの出力端子より出力するＲＦ混合器とを具備し、前記複数のＯＦＤＭ信号発生部は、その同期クロックとして、外部同期基準信号により生成したものと、各チャンネル毎に設けられるクロック生成部の発振素子により生成されたものを任意に切換えて同期クロックとし、前記ＩＦ分配器は、前記各ＯＦＤＭ信号発生部から入力されるＩＦ周波数の信号をそのまま対応するＲＦコンバータに出力する第１のモードと、入力端子に接続されている任意の１つのＯＦＤＭ信号発生部の出力信号を選択して全てのＲＦコンバータに分配する第２のモードとを備え、前記第１のモードと第２のモードがモード切換手段により切換えられることを特徴とする。
【００１２】
上記のようにＩＦ分配器が第１及び第２の動作モードを備え、この動作モードをモード切換手段に切換え可能に構成することにより、デジタル放送疑似信号の出力モードを複数に設定でき、地上波デジタル放送開始後の電波発射状況をシミュレートしてＣＡＴＶの伝送路や受信機のテストを高精度で効率的に行なうことができる。
【００１３】
【発明の実施の形態】
以下、図面を参照して本発明の一実施形態を説明する。
図１は、本発明の一実施形態に係る多チャンネルデジタル放送疑似信号発生装置の全体の構成を示すブロック図である。図１は、１０チャンネルのデジタル放送疑似信号を発生する場合を例として示している。
【００１４】
図１において、１−１〜１−１０はＯＦＤＭ信号発生部で、外部同期基準信号として１０ＭＨｚのクロックが入力される。ＯＦＤＭ信号発生部１−１〜１−１０は、外部同期基準信号あるいは内部の発振素子で発振した１０ＭＨｚのクロックに基づいて所定の動作クロックを生成し、この動作クロックに同期してＯＦＤＭ（Orthogonal Frequency Division Multiplex：直交周波数分割多重）信号を発生し、例えば３７．１５ＭＨｚを中心とするＩＦ周波数に変換して出力する。ＯＦＤＭ信号とは、モード、ガードインターバル、変調方式について、ＩＳＤＢ−Ｔ（Terrestrial Integrated Services Digital Broadcasting：地上デジタル放送）の仕様に準拠し、ランダムデータで変調されたシンボルが繰り返して出力される信号である。上記ＯＦＤＭ信号発生部１−１〜１−１０の詳細については後述する。
【００１５】
上記ＯＦＤＭ信号発生部１−１〜１−１０からＩＦ周波数に変換して出力されるＯＦＤＭ信号は、ＩＦ分配器２を介してＲＦコンバータ４−１〜４−１０へ送られる。ＩＦ分配器２は、ＯＦＤＭ信号発生部１−１〜１−１０から入力される各ＩＦ信号をそのまま対応するＲＦコンバータ４−１〜４−１０へ出力する第１のモードと、１つの入力信号例えばＯＦＤＭ信号発生部１−１から入力されるＩＦ信号を選択して全てのＲＦコンバータ４−１〜４−１０へ分配する第２のモードとを備えており、モード切換スイッチ３により第１のモードと第２のモードを任意に切換えられるようになっている。
【００１６】
また、ＲＦコンバータ４−１〜４−１０には、１０ＭＨｚの外部同期基準信号及びチャンネル設定信号が入力される。ＲＦコンバータ４−１〜４−１０は、図示しないが、内部にクロック生成部及び例えば水晶振動子等の１０ＭＨｚのクロックを発生する発振素子を備えている。このクロック生成部は、内部発振素子による１０ＭＨｚのクロックと外部から入力される１０ＭＨｚの外部同期基準信号とを任意に切換えて必要な同期クロックを生成している。
【００１７】
ＲＦコンバータ４−１〜４−１０は、内部のクロック生成部で生成した同期クロックに同期して動作し、ＩＦ分配器２から出力されるＩＦ信号をそれぞれチャンネル設定信号に基づいて指定チャンネルの周波数に変換し、ＲＦ混合器５に入力する。このＲＦ混合器５は、ＲＦコンバータ４−１〜４−１０から出力される各チャンネルのＯＦＤＭ信号を混合し、１つの出力端子より１本のケーブル６を介して出力する。
【００１８】
上記ＲＦコンバータ４−１〜４−１０におけるチャンネル設定は、すなわち、９０ＭＨｚから７７０ＭＨｚまでの周波数を使用する有線テレビジョン放送の搬送波の周波数は、９３ＭＨｚから７６７ＭＨｚまで、例えば９３ＭＨｚ、９９ＭＨｚ、１０５ＭＨｚ、…、…、７６７ＭＨｚと、６ＭＨｚの間隔で設定された周波数のうちから選定し、かつ、その周波数よりも１／７ＭＨｚ（＝１４２．８５７…ｋＨｚ）だけ高い方へずらして配置する。また、デジタル放送の標準方式の使用する周波数帯域は５．６ＭＨｚである。なお、ＲＦコンバータ４−１〜４−１０は、上記有線テレビジョン放送法施行規則で規定された周波数と、１／７ＭＨｚを加えない周波数の切換えができるようになっている。
【００１９】
図２は搬送波の変調波スペクトルの許容範囲を示したものである。搬送波の周波数に対し、±２．７９ＭＨｚにおける相対減衰量は０ｄＢ、±２．８６ＭＨｚにおける相対減衰量は−２０ｄＢ、±３．００ＭＨｚにおける相対減衰量は−２７ｄＢ、±４．３６ＭＨｚにおける相対減衰量は−５０ｄＢとなっている。
【００２０】
次に、上記ＯＦＤＭ信号発生部１−１〜１−１０の詳細な構成について図３を参照して説明する。図３は、ＯＦＤＭ信号発生部１−１の構成について示したものであるが、その他のＯＦＤＭ信号発生部１−２〜１−１０においても同様の構成となっている。
【００２１】
図３において、１１は任意波形発生部で、クロック生成部１２から４×５１２／６３ＭＨｚ（３２．５０７９３６…ＭＨｚ）のクロックが入力される。上記任意波形発生部１１は、上記クロックに同期して波形バンク部１３に対するアドレスを生成し、このアドレスにより波形バンク部１３から波形データを読出して高速の内部メモリに記憶し、この内部メモリに記憶した波形データを繰り返し読出して次段のＩＦコンバータ１４に出力する。
【００２２】
上記クロック生成部１２は、内部に例えば水晶振動子等の１０ＭＨｚのクロックを発生する発振素子１７を備え、この発振素子１７のクロックと外部から入力される１０ＭＨｚの外部同期基準信号とを任意に切換えて使用できるようになっている。
【００２３】
クロック生成部１２は、１０ＭＨｚの外部同期基準信号あるいは発振素子１７の出力信号に基づいて４×５１２／６３ＭＨｚ（３２．５０７９３６…ＭＨｚ）のクロックと５１２／６３＋３７．１５ＭＨｚ（４５．２７６９８４…ＭＨｚ）のクロックを生成し、４×５１２／６３ＭＨｚ（３２．５０７９３６…ＭＨｚ）のクロックを任意波形発生部１１に入力し、５１２／６３＋３７．１５ＭＨｚ（４５．２７６９８４…ＭＨｚ）のクロックをＩＦコンバータ１４に局部発振信号として入力する。
【００２４】
波形バンク部１３は、複数のメモリ例えば１６個のＥＰＲＯＭを備え、各ＥＰＲＯＭにそれぞれデジタル放送疑似信号波形データ、すなわちＯＦＤＭ（Orthogonal Frequency Division Multiplex：直交周波数分割多重）信号を予め登録している。上記各ＥＰＲＯＭに登録するＯＦＤＭ信号は、モード、ガードインターバル、変調方式について、ＩＳＤＢ−Ｔ（Terrestrial Integrated Services Digital Broadcasting：地上デジタル放送）の仕様に準拠し、ランダムデータで変調された複数のシンボルからなっている。この各ＥＰＲＯＭに登録するＯＦＤＭ信号の生成方法については詳細を後述する。また、波形バンク部１３における１６個のＥＰＲＯＭには、それぞれ異なる波形データが登録されるもので、フロントパネル部１５に設けた１６個の波形選択ボタンによって選択できるようになっている。
上記フロントパネル部１５の波形選択ボタンが操作されると、対応するＥＰＲＯＭが選択され、このＥＰＲＯＭが任意波形発生部１１によりアドレス指定されて予め登録されている波形データが読出される。
【００２５】
任意波形発生部１１は、波形バンク部１３から読出した波形データを高速の内部メモリに記憶した後、この内部メモリから繰り返して読出し、順次Ｄ／Ａ変換して中心周波数５１２／６３ＭＨｚ（８．１２６９８５…ＭＨｚ）の信号を生成し、ＩＦコンバータ１４に入力する。ＩＦコンバータ１４は、任意波形発生部１１から入力される中心周波数５１２／６３ＭＨｚ（８．１２６９８５…ＭＨｚ）の信号とクロック生成部１２からの局部発振周波数５１２／６３＋３７．１５ＭＨｚ（４５．２７６９８４…ＭＨｚ）の信号との差をとり、３７．１５ＭＨｚを中心とするＩＦ周波数（中間周波数）に変換してＩＦ分配器２に出力する。
【００２６】
図４は、波形バンク部１３の各ＥＰＲＯＭに登録するＯＦＤＭ信号の生成方法について示したものである。図４において、２１はランダムデータ生成／マッピング手段で、例えば数値演算ソフトのランダム関数を用いてランダムデータを生成する。また、ランダムデータ生成／マッピング手段２１では、上記ランダムデータにより例えばＱＰＳＫ変調あるいはＱＡＭ変調し、デジタル放送疑似信号のキャリアとして出力する。このキャリアは、複素数のデータ（Ｒｅ：実数、Ｉｍ：虚数）として出力される。
【００２７】
上記ランダムデータ生成／マッピング手段２１から出力されるキャリアは、逆フーリエ変換（ＩＦＦＴ）手段２２により、複素数の時間波形データとして出力される。
【００２８】
上記逆フーリエ変換手段２２で時間波形生成後、ガードインターバル付加手段２３により、ＯＦＤＭシンボルの後端部をＯＦＤＭシンボルの前端にカードインターバルとして付加する。このガードインターバルを付加することで、ＯＦＤＭ信号のスぺクトラムが広がるので、スぺクトラム制限手段２４により、デジタルＬＰＦにて帯域外スぺクトラムを除去する。
【００２９】
上記スぺクトラム制限手段２４で帯域外スぺクトラムを除去した信号を４倍アップサンプル手段２５にて４倍の周波数にアップサンプルし、４倍アップサンプルフィルタ２６を介して取り出す。これは最終的に５１２／６３ＭＨｚ（８．１２６９８５…ＭＨｚ）の中心周波数の信号を得るための処理である。
【００３０】
そして、４倍アップサンプルフィルタ２６の出力信号を直交変調手段２７で直交変調し、中心周波数が５１２／６３ＭＨｚ（８．１２６９８５…ＭＨｚ）のＯＦＤＭ信号（時間波形）を得ている。直交変調手段２７は、sin 及びcos の信号を局部発振周波数の信号として使用し、直交変調する。この直交変調後の信号に対し、スぺクトラム制限手段２８により帯域外スぺクトラムを除去し、最終的なＯＦＤＭの時間波形信号として取り出し、上記波形バンク部１３に記憶する。
【００３１】
上記ＯＦＤＭ信号の生成では、ランダムデータ生成／マッピング手段２１等において、ＩＳＤＢ−Ｔに準拠したＯＦＤＭパラメータを設定し、複数種類の波形信号を生成し、波形バンク部１３に設けられている複数のＥＰＲＯＭに登録する。従って、ＥＰＲＯＭを選択することによって任意の波形を選択することができる。
【００３２】
ＩＳＤＢ−Ｔに準拠したＯＦＤＭパラメータは、
キャリア変調方式：ＤＰＱＳＫ、ＱＰＳＫ、１６ＱＡＭ、６４ＱＡＭ、
キャリア数：Ｍｏｄｅ １：１４０５本、Ｍｏｄｅ ２：２８０９本、Ｍｏｄｅ３：５６１７本、
ガードインターバル：１／３２、１／１６、１／８、１／４、
となっている。また、シンボル数は、Ｍｏｄｅ １でガードインターバルが１／３２のとき「３１シンボル」、Ｍｏｄｅ ３でガードインターバルが１／４のとき「６シンボル」である。
【００３３】
波形バンク部１３に登録するＯＦＤＭ信号は、ＩＳＤＢ−Ｔに完全に準拠する必要はないが、例えばＭｏｄｅ、ＦＦＴ周期、変調方式、ガードインターバル長についてＩＳＤＢ−Ｔに準拠することで、振幅特性の特徴をＩＳＤＢ−ＴのＯＦＤＭ信号と同様にする。
【００３４】
図５は、波形バンク部１３のＥＰＲＯＭに登録するＯＦＤＭ信号として１２種類のパターンを生成する場合のパラメータ設定例について示したものである。すなわち、モード３種類（Ｍｏｄｅ １〜Ｍｏｄｅ ３）、キャリア変調方式２種類（ＱＰＳＫ、６４ＱＡＭ）、ガードインターバル２種類（１／３２、１／４）を組み合わせて１２種類の信号パターンを設定している。
【００３５】
上記波形バンク部１３におけるＥＰＲＯＭとして４Ｍbitのメモリを使用すれば、ＯＦＤＭ信号（Ｍｏｄｅ １、ガードインターバル１／３２）を３１シンボル出力することができる。
【００３６】
次に上記実施形態の全体の動作について図６を参照して説明する。
図１に示した多チャンネルデジタル放送疑似信号発生装置において、ＩＦ分配器２の動作モードをモード切換スイッチ３により第１のモードに切換えた場合、図６（ａ）に示すように、各ＯＦＤＭ信号発生部１−１〜１−１０から出力されるＯＦＤＭ信号（ＩＦ周波数の信号）は、ＩＦ分配器２内を素通りし、そのまま対応するＲＦコンバータ４−１〜４−１０へ送られる。このときＯＦＤＭ信号発生部１−１〜１−１０の各クロック生成部１２（図３参照）の動作を発振素子１７から出力される１０ＭＨｚのクロックに基づく動作に切換えると、各ＯＦＤＭ信号発生部１−１〜１−１０は、相互に関連性のない独立したスペクトルとタイミングを持つＯＦＤＭ信号を非同期の状態で出力する。
【００３７】
上記各ＯＦＤＭ信号発生部１−１〜１−１０から出力されるＯＦＤＭ信号は、ＩＦ分配器２を介して対応するＲＦコンバータ４−１〜４−１０へ送られ、設定チャンネルの周波数に変換される。そして、この各ＲＦコンバータ４−１〜４−１０から出力される各チャンネルの信号がＲＦ混合器５で混合され、１本のケーブル６を介して被試験用回路あるいは被試験用機器へ送られる。
【００３８】
従って、上記図６（ａ）の場合には、１０波の独立したデジタル放送疑似信号が非同期の状態で出力されることになる。この場合、ＲＦコンバータ４−１〜４−１０は、内部のクロック生成部において、１０ＭＨｚの外部同期基準信号を使用して同期クロックを作成しても、あるいは内部の発振素子から出力される１０ＭＨｚのクロックを使用して同期クロックを作成しても良い。
【００３９】
次に、上記ＩＦ分配器２の動作モードをモード切換スイッチ３により第２のモードに切換えると、ＩＦ分配器２は、図６（ｂ）に示すように１つの入力信号例えばＯＦＤＭ信号発生部１−１から入力されるＯＦＤＭ信号を選択し、全てのＲＦコンバータ４−１〜４−１０に分配する。ＲＦコンバータ４−１〜４−１０は、ＩＦ分配器２により分配された同じＯＦＤＭ信号をそれぞれ設定チャンネルの周波数に変換する。そして、この各ＲＦコンバータ４−１〜４−１０から出力される各チャンネルの信号がＲＦ混合器５で混合され、１本のケーブル６を介して被試験用回路あるいは被試験用機器へ送られる。
【００４０】
上記のように図６（ｂ）の場合には、１つのＯＦＤＭ信号発生部１−１から出力されるＯＦＤＭ信号がＩＦ分配器２で選択されてＲＦコンバータ４−１〜４−１０に分配されるので、このＲＦコンバータ４−１〜４−１０から同じスペクトルとタイミングを持つデジタル放送疑似信号が出力される。この場合、ＲＦコンバータ４−１〜４−１０は、内部のクロック生成部において、１０ＭＨｚの外部同期基準信号を使用して同期クロックを作成しても、あるいは内部の発振素子から出力される１０ＭＨｚのクロックを使用して同期クロックを作成しても良い。
【００４１】
次に、上記ＩＦ分配器２の動作モードをモード切換スイッチ３により第１のモードに切換えると共に、ＯＦＤＭ信号発生部１−１〜１−１０及びＲＦコンバータ４−１〜４−１０が１０ＭＨｚの外部同期基準信号に同期して動作するように切換えると、回路は図６（ｃ）に示す接続状態となる。
【００４２】
図６（ｃ）において、ＯＦＤＭ信号発生部１−１〜１−１０は、それぞれ独立したスペクトルとタイミングを持ち、且つ周波数が同期した、すなわち周波数が直交関係にあるＯＦＤＭ信号を発生する。このＯＦＤＭ信号発生部１−１〜１−１０から出力されるＯＦＤＭ信号は、ＩＦ分配器２により対応するＲＦコンバータ４−１〜４−１０に分配される。ＲＦコンバータ４−１〜４−１０は、１０ＭＨｚの外部同期基準信号に同期して動作し、ＯＦＤＭ信号発生部１−１〜１−１０からＩＦ分配器２を介して送られてきたＯＦＤＭ信号をそれぞれ設定チャンネルの周波数に変換する。
【００４３】
この結果、ＲＦコンバータ４−１〜４−１０からは、それぞれ独立したスペクトルとタイミングを持ち、且つ周波数が同期した（直交関係にある）デジタル放送疑似信号が出力される。そして、上記各ＲＦコンバータ４−１〜４−１０から出力される各チャンネルの信号がＲＦ混合器５で混合され、１本のケーブル６を介して被試験用回路あるいは被試験用機器へ送られる。
上記のように図６（ｃ）の場合には、１０波の独立したデジタル放送疑似信号を同期した状態で出力することができる。
【００４４】
上記実施形態で示したように、ＩＦ分配器２の動作モードをモード切換スイッチ３により切換えると共に、ＯＦＤＭ疑似信号発生部１−１〜１−１０及びＲＦコンバータ４−１〜４−１０における外部同期基準信号と内部発振素子の出力信号とを切換えることにより、基本的に３種類の信号の出力モードを選択でき、地上波デジタル放送開始後の電波発射状況をシミュレートすることができる。この結果、ＣＡＴＶの伝送路や受信機のテストを高精度で効率的に行なうことが可能となる。
【００４５】
なお、上記実施形態では、１０チャンネルのデジタル放送疑似信号を発生する場合を例として説明したが、その他、任意のチャンネル数に設定し得るものである。
【００４６】
【発明の効果】
以上詳記したように本発明によれば、複数のＯＦＤＭ信号発生部で地上デジタル放送の仕様に準拠したＯＦＤＭ信号を発生してＩＦ周波数の信号に変換し、更に、このＩＦ周波数の信号をそれぞれＲＦコンバータで設定チャンネルの周波数に変換した後、ＲＦ混合器で混合して１つの出力端子より出力することにより、構成が簡単で安価に製作できると共に、各チャンネル別に異なる波形のデジタル放送疑似信号を発生でき、実際の状況に即した多チャンネルのデジタル放送疑似信号を発生することができる。また、ＩＦ分配器の動作モードを切換え可能に構成することにより、デジタル放送疑似信号の出力モードを複数に設定でき、地上波デジタル放送開始後の電波発射状況をシミュレートしてＣＡＴＶの伝送路や受信機のテストを高精度で効率的に行なうことができる。
【図面の簡単な説明】
【図１】本発明の一実施形態に係る多チャンネルデジタル放送疑似信号発生装置の全体構成を示すブロック図。
【図２】同実施形態における搬送波の変調波スペクトルの許容範囲を示す図。
【図３】同実施形態におけるＯＦＤＭ信号発生部の詳細な構成を示すブロック図。
【図４】同実施形態における波形バンク部に登録するＯＦＤＭ信号の生成方法を示す図。
【図５】同実施形態における波形バンク部に登録するＯＦＤＭ信号のパラメータ設定例を示す図。
【図６】同実施形態において、ＩＦ分配器の動作モードを切換えたときの動作説明図。
【図７】従来の地上デジタル放送信号の作成例を示す図。
【符号の説明】
１−１〜１−１０…ＯＦＤＭ疑似信号発生部
２…ＩＦ分配器
３…モード切換スイッチ
４−１〜４−１０…ＲＦコンバータ
５…ＲＦ混合器
６…ケーブル
１１…任意波形発生部
１２…クロック生成部
１３…波形バンク部
１４…ＩＦコンバータ
１５…フロントパネル部
１７…発振素子
２１…ランダムデータ生成／マッピング手段
２２…逆フーリエ変換手段
２３…ガードインターバル付加手段
２４…スぺクトラム制限手段
２５…４倍アップサンプル手段
２６…４倍アップサンプルフィルタ
２７…直交変調手段
２８…スぺクトラム制限手段
【図１】
0003732766.tif 000002
【図２】
0003732766.tif 000003
【図３】
0003732766.tif 000004
【図４】
0003732766.tif 000005
【図５】
0003732766.tif 000006
【図６】
0003732766.tif 000007
【図７】
0003732766.tif 000008